(57)【特許請求の範囲】
【請求項１】
鋼管ケーシングの内周面に、引き抜くべき地中コンクリート杭の外径よりも若干大径の内径を有するリボンスクリュー羽根を設け、
上記リボンスクリュー羽根に、該羽根の内側辺から内方へ突出する係止爪を互に一定間隔をあけて多数突設した、
地中コンクリート杭の引き抜きケーシング。
【発明の詳細な説明】
【０００１】
【発明の属する技術分野】
本発明は、地中に残存するＨ形鋼等の芯材入りコンクリート杭、ＰＣもしくはＲＣコンクリート杭、場所打ちコンクリート杭等のコンクリート杭を除去するための引き抜きケーシングに関する。
【０００２】
【従来の技術】
従来、地中に残存するコンクリート杭の除去手段として、鋼管ケーシングをバイブロハンマーにより振動を与えて地中のコンクリート杭の周囲に圧入し、その際上記バイブロハンマーの振動締め固め作用により鋼管ケーシング内の土砂を圧密状態に固め、次に上記鋼管ケーシングをクレーン等により引き抜くと共に圧密土砂を介して抱きかかえている地中コンクリート杭も同時に引き抜く方法が知られている。
【０００３】
しかし、上記の従来方法では、バイブロハンマーの駆動による相当の騒音、振動が発生し、現場周辺の住民や建物に悪影響を及ぼす欠点があり、しかも鋼管ケーシングの引き抜きに強大な力が必要となるばかりでなく、引き抜き時に地中コンクリート杭がケーシング内から脱落し易い難点があった。
【０００４】
【発明が解決しようとする課題】
本発明は、騒音、振動なしで、地中コンクリート杭を比較的容易に引き抜くことを課題とする。
【０００５】
【課題を解決するための手段】
上記課題を解決する手段として、本発明は、
鋼管ケーシングの内周面に、引き抜くべき地中コンクリート杭の外径よりも若干大径の内径を有するリボンスクリュー羽根を設け、
上記リボンスクリュー羽根に、該羽根の内側辺から内方へ突出する係止爪を互に一定間隔をあけて多数突設した、
地中コンクリート杭の引き抜きケーシングを提案する。
以下図面を参照して本発明の実施例について説明する。
【０００６】
【実施例】
図１の引き抜きケーシング（１）は、鋼管ケーシング（２）の内周面に、引き抜くべき地中コンクリート杭の外径よりも若干大径の内径を有するリボンスクリュー羽根（３）をケーシング全長にわたって突設し、該スクリュー羽根（３）の内側辺に、係止爪（４）…を、らせん一巻きに２個の割合で、スクリュー羽根（３）から内方へ突出した状態にそれぞれ固定してある。（５）…はケーシング（２）に開設した排土孔、（６）はケーシング（２）の下端に形成した掘削刃である。
【０００７】
上記係止爪（４）…は、一例として図２に示すように矩形状基板（７）の先端に、先広がりの台形立体状チップ（８）を形成したもので、その基板（７）に、上記チップ（８）に対し直角方向の長孔を２個づつ２列（９）（９）、（９）（９）に設けると共に、基板（７）の一面に、上記長孔（９）…の長手方向に対し直角方向の刻み線（１０）…を形成してあり、一方、上記リボンスクリュー羽根（３）の係止爪を取りつけるべき上面に、上面に刻み線（１２）…を有する台板（１１）を、その刻み線（１２）…をケーシング（２）直径方向に対し直角に向けた状態に溶接すると共に、上記スクリュー羽根（３）及び台板（１１）に、上記長孔（９）…に対応する位置にボルト通し孔（１３）…を設けてある。
【０００８】
上記のような係止爪（４）を、その刻み線（１０）…つき面を上記台板（１１）の刻み線（１２）…つき面上に重ね、ボルト（１４）…を通し孔（１３）…及び長孔（９）…に通し、その長孔（９）…の長さ範囲で係止爪（４）のチップ（８）の出代を調整して所望出代でナット（１５）…を締着する。
【０００９】
上例の作用を使用例とともに次に説明する。本例では、図１（ロ）に示すように、矩形枠形のベースフレーム（１６）上にケーシング圧入用油圧ジャッキ（１７）…を立設し、該ジャッキ（１７）…に昇降フレーム（１８）を該ジャッキの駆動により昇降可能に支持させ、この昇降フレーム（１８）に回転筒（１９）を回転自在に支持させ、該回転筒（１９）にケーシングを把持すべきチャック（２０）を設けると共に、上記昇降フレーム（１８）上のケーシング回転用油圧モータ（２１）、（２１）から上記回転筒（１９）に回転を伝達するようにしたケーシング回転圧入装置を使用する。
【００１０】
まず、上記回転圧入装置を地上において地中コンクリート杭（Ｐ）に中心を合わせて設置し、ついで上記引き抜きケーシング（１）を同図（ロ）のように上記回転圧入装置の中心に垂直に保持させ、該回転圧入装置の駆動により回転させつつ一定長づつ間欠的に地中へ圧入していく。それにより引き抜きケーシング（１）が地中コンクリート杭（Ｐ）の周囲に降下しつつ杭（Ｐ）周囲の地盤をリボンスクリュー羽根（３）によりかき取ってケーシング（１）内で上方へ搬送していく。その間各係止爪（４）…のチップ（８）…が、地中コンクリート杭（Ｐ）のもろくなった表層に食いこむ。
【００１１】
引き抜きケーシング（１）を地中コンクリート杭（Ｐ）の下端まで圧入すると、地中コンクリート杭（Ｐ）が、ケーシング（１）内にあって、周囲の土砂を排除され、もしくは周囲に圧密状態を解かれた一部土砂を残留させるだけとなり、それにより地中コンクリート杭（Ｐ）を地盤との結合を十分に解かれた引き抜き容易の状態におく。
【００１２】
そこで、引き抜きケーシング（１）を一定長づつ間欠的に上昇させれば、該ケーシング（１）内に係止爪（４）…により把持された地中コンクリート杭（Ｐ）をともに引き抜くことができる。この場合、ケーシング（１）を回転させてケーシング（１）の引き抜きを容易にするのもよい。
【００１３】
場合によっては、クレーンを用いてワイヤによりケーシング（１）及びコンクリート杭（Ｐ）を吊り上げてもよい。
【００１４】
図３に示す他の実施例は、鋼管ケーシング（２ａ）を２つ割りにし、両半体の一側端同志をヒンジ（２２ａ）…により開閉自在に連結すると共に、他側端同志をボルト（２３ａ）…、ナット（２４ａ）…により着脱自在に接続し、他の構造は図１、２と実質的に同一の例である。本例によれば、ケーシング（２ａ）を開けば、係止爪の出代調整作業、及び使用後のケーシング（２ａ）内の清掃作業等が容易となる。
【００１５】
【発明の効果】
本発明の地中コンクリート杭の引き抜きケーシングによれば、これを回転させながら地中コンクリート杭の周囲に圧入していくと、そのリボンスクリュー羽根によって地中コンクリート杭の周囲の土砂を上方へ排出し、もしくは周囲に圧密状態を解かれた一部土砂を残すだけとなり、それにより地中コンクリート杭を地盤との結合を十分に遮断された引き抜き容易の状態におくことができ、以後係止爪に把持された地中コンクリート杭をケーシングとともに容易に引き抜くことができるのである。
【図面の簡単な説明】
【図１】（イ）本発明による引き抜きケーシングの一部切欠正面図である。
（ロ）使用状態の一部切欠略線図である。
【図２】（イ）係止爪部分の拡大縦断面図である。
（ロ）係止爪の拡大斜面図である。
【図３】他の実施例の一部省略拡大横断面図である。
【符号の説明】
１、１ａ  引き抜きケーシング
２、２ａ  鋼管ケーシング
３、３ａ  リボンスクリュー羽根
４  係止爪
Ｐ  コンクリート杭
【図１】
0004362842.tif 000002
【図２】
0004362842.tif 000003
【図３】
0004362842.tif 000004